(57)【特許請求の範囲】
【請求項１】
一対の固定接触子及びこれら一対の固定接触子に接離可能な可動接触子を有する接点機構と、
前記可動接触子に連結軸で連結された可動プランジャを有する、前記接点機構を駆動する電磁石ユニットと、
前記接点機構、前記連結軸及び前記可動プランジャを収容する密封された収容室とを備え、
前記収容室は、前記連結軸を挿通した仕切り部材によって前記接点機構を収容する接点機構収容空間と前記可動プランジャを収容する可動プランジャ収容空間とを仕切るよう構成され、
前記可動プランジャ収容空間において、前記可動プランジャの周鍔部を収容する周鍔部収容空間と前記可動プランジャの円筒部の下側に形成される下側空間とが形成され、
前記仕切り部材に前記接点機構収容空間と前記周鍔部収容空間とを連通させる第１連通部を設けるとともに、前記収容室又は前記円筒部に前記周鍔部収容空間と前記下側空間とを連通させる第２連通部を設けることを特徴とする電磁接触器。
【請求項２】
前記第２連通部は、前記円筒部の側面に形成された、前記周鍔部収容空間と前記下側空間とを連通させるスリットで構成されていることを特徴とする請求項１に記載の電磁接触器。
【請求項３】
一対の固定接触子及びこれら一対の固定接触子に接離可能な可動接触子を有する接点機構と、
前記可動接触子に連結軸で連結された可動プランジャを有する、前記接点機構を駆動する電磁石ユニットと、
前記接点機構、前記連結軸及び前記可動プランジャを収容する密封された収容室とを備え、
前記収容室は、前記連結軸を挿通した仕切り部材によって前記接点機構を収容する接点機構収容空間と前記可動プランジャを収容する可動プランジャ収容空間とを仕切るよう構成され、
前記可動プランジャ収容空間において、前記可動プランジャの周鍔部を収容する周鍔部収容空間と前記可動プランジャの円筒部の下側に形成される下側空間とが形成され、
前記仕切り部材に前記接点機構収容空間と前記周鍔部収容空間とを連通させる第１連通部を設けるとともに、前記連結軸に前記接点機構収容空間と前記下側空間とを連通させる第３連通部を設けることを特徴とする電磁接触器。
【請求項４】
前記第３連通部は、前記連結軸に形成された、前記接点機構収容空間と前記下側空間とを連通させる貫通孔で構成されていることを特徴とする請求項３に記載の電磁接触器。
【発明の詳細な説明】
【技術分野】
【０００１】
本発明は、電流路の開閉を行う電磁接触器に関する。
【背景技術】
【０００２】
電流路の開閉を行う電磁接触器として、従来、例えば、特許文献１に記載されたものが知られている。
特許文献１に記載された電磁接触器は、一対の固定接触子及びこれら一対の固定接触子に接離可能な可動接触子を有する接点機構と、この接点機構を駆動する電磁石ユニットとを備えている。電磁石ユニットは、接点機構の可動接触子に連結軸で連結された可動プランジャと、励磁することにより電磁石ユニットで励磁力を発生させて可動プランジャを駆動する励磁コイルとを備えている。
【０００３】
そして、接点機構は、磁気ヨークの上面に接合された接点機構収容ケース内に収容されている。また、電磁石ユニットの可動プランジャは、磁気ヨークの下面に接合されたキャップ内に収容されている。この可動プランジャは、キャップ内に上下方向に移動可能に収容される円筒部と、この円筒部の上端に設けられた半径方向外側に突出する周鍔部とを備えている。可動プランジャの円筒部は、磁気ヨークの可動プランジャ貫通孔を上下方向に挿通し、可動プランジャの周鍔部は可動プランジャ貫通孔よりも大きな外径を有して磁気ヨークの上方に配置されている。そして、接点機構収容ケース及びキャップは、磁気ヨークに形成された可動プランジャ貫通孔を介して連通される密封容器を形成している。また、可動プランジャの円筒部の底部とキャップの底部との間に復帰スプリングが設けられている。
そして、密封容器を形成する収容室内において、接点機構を収容する接点機構収容空間と可動プランジャを収容する可動プランジャ収容空間とは、連結軸を挿通した仕切り部材によって仕切られている。
【先行技術文献】
【特許文献】
【０００４】
【特許文献１】国際公開第２０１２／１５７１７６号公報
【発明の概要】
【発明が解決しようとする課題】
【０００５】
ところで、この特許文献１に記載された電磁接触器においては、可動プランジャ収容空間において、可動プランジャの円筒部とキャップとの間が狭いことによって、可動プランジャの周鍔部を収容する周鍔部収容空間と可動プランジャの円筒部の下側に形成される下側空間との間に圧力差が生じている。このため、可動プランジャ及び可動接触子の釈放動作及び投入動作の際に、可動プランジャの動きが重く、可動プランジャ及び可動接触子が円滑に動作しないことがあった。
従って、本発明は、上述の問題を解決するためになされたものであり、その目的は、可動プランジャ収容空間において、可動プランジャの周鍔部を収容する周鍔部収容空間と可動プランジャの円筒部の下側に形成される下側空間との間の圧力差を解消することにより、釈放動作及び投入動作の際に、可動プランジャ及び可動接触子の円滑な動作を可能とした電磁接触器を提供することにある。
【課題を解決するための手段】
【０００６】
上記目的を達成するために、本発明の一態様に係る電磁接触器は、一対の固定接触子及びこれら一対の固定接触子に接離可能な可動接触子を有する接点機構と、可動接触子に連結軸で連結された可動プランジャを有する、接点機構を駆動する電磁石ユニットと、接点機構、連結軸及び可動プランジャを収容する密封された収容室とを備え、収容室は、連結軸を挿通した仕切り部材によって接点機構を収容する接点機構収容空間と可動プランジャを収容する可動プランジャ収容空間とを仕切るよう構成され、可動プランジャ収容空間において、可動プランジャの周鍔部を収容する周鍔部収容空間と可動プランジャの円筒部の下側に形成される下側空間とが形成され、仕切り部材に接点機構収容空間と周鍔部収容空間とを連通させる第１連通部を設けるとともに、収容室又は円筒部に周鍔部収容空間と下側空間とを連通させる第２連通部を設けることを要旨とする。
【０００７】
また、上記目的を達成するために、本発明の他の態様に係る電磁接触器は、一対の固定接触子及びこれら一対の固定接触子に接離可能な可動接触子を有する接点機構と、可動接触子に連結軸で連結された可動プランジャを有する、接点機構を駆動する電磁石ユニットと、接点機構、連結軸及び可動プランジャを収容する密封された収容室とを備え、収容室は、連結軸を挿通した仕切り部材によって接点機構を収容する接点機構収容空間と可動プランジャを収容する可動プランジャ収容空間とを仕切るよう構成され、可動プランジャ収容空間において、可動プランジャの周鍔部を収容する周鍔部収容空間と可動プランジャの円筒部の下側に形成される下側空間とが形成され、仕切り部材に接点機構収容空間と周鍔部収容空間とを連通させる第１連通部を設けるとともに、連結軸に接点機構収容空間と下側空間とを連通させる第３連通部を設けることを要旨とする。
【発明の効果】
【０００８】
本発明に係る電磁接触器によれば、仕切り部材に接点機構収容空間と周鍔部収容空間とを連通させる第１連通部を設けるとともに、収容室又は円筒部に周鍔部収容空間と下側空間とを連通させる第２連通部を設けるので、接点機構収容空間、周鍔部収容空間、及び下側空間の内部圧力が同等となって、可動プランジャ収容空間において、可動プランジャの周鍔部を収容する周鍔部収容空間と可動プランジャの円筒部の下側に形成される下側空間との間の圧力差を解消する。これにより、釈放動作及び投入動作の際に、可動プランジャ及び可動接触子の円滑な動作が可能となる。
【０００９】
また、本発明に係る電磁接触器によれば、仕切り部材に接点機構収容空間と周鍔部収容空間とを連通させる第１連通部を設けるとともに、連結軸に接点機構収容空間と下側空間とを連通させる第３連通部を設けるので、接点機構収容空間、周鍔部収容空間、及び下側空間の内部圧力が同等となって、可動プランジャ収容空間において、可動プランジャの周鍔部を収容する周鍔部収容空間と可動プランジャの円筒部の下側に形成される下側空間との間の圧力差を解消する。これにより、釈放動作及び投入動作の際に、可動プランジャ及び可動接触子の円滑な動作が可能となる。
【図面の簡単な説明】
【００１０】
【図１】本発明の第１実施形態に係る電磁接触器を示す断面図である。
【図２】図１に示す電磁接触器の一部の分解斜視図である。
【図３】図１示す電磁接触器に用いられる絶縁筒部の斜め上方から見た斜視図である。
【図４】図１に示す電磁接触器に用いられる可動プランジャの斜視図である。
【図５】本発明の第２実施形態に係る電磁接触器を示す断面図である。
【図６】図５に示す電磁接触器の一部の分解斜視図である。
【発明を実施するための形態】
【００１１】
以下、本発明の実施形態について図面を参照して説明する。
（第１実施形態）
本発明の第１実施形態に係る電磁接触器は、図１乃至図４に示されており、電磁接触器１は、接点機構２と、接点機構２を駆動する電磁石ユニット３と、接点機構２、後述する連結軸３７及び可動プランジャ３５を収容する密封された収容室４とを備えている。
接点機構２は、収容室４を構成する接点機構収容ケース５内に収容されており、この接点機構収容ケース５は、金属製の角筒体６と、この角筒体６の上端を閉塞する平板状のセラミック製の絶縁基板７とを備えている。角筒体６は、下端部に外方に突出するフランジ部６ａを有し、そのフランジ部６ａが収容室４を構成する後述の磁気ヨーク８の上面にシール接合されている。絶縁基板７には、一対の貫通孔７ａ、７ｂが所定間隔をあけて形成されている。絶縁基板７の上面における貫通孔７ａ、７ｂの周囲及び絶縁基板７の下面における角筒体６が接触する位置には、メタライズ処理が施されている。
【００１２】
接点機構２は、絶縁基板７に一対の導体部２１、２２（以下、第１導体部２１、第２導体部２２と称する）を介して固定されている一対の固定接触子２３、２４（以下、第１固定接触子２３、第２固定接触子２４と称する）と、これら第１固定接触子２３及び第２固定接触子２４に対して接離可能に配置されている可動接触子２５とを備えている。第１導体部２１は、絶縁基板７の貫通孔７ａに挿通されて固定され、第２導体部２２は、絶縁基板７の貫通孔７ｂに挿通されて固定されている。
ここで、第１固定接触子２３は、導電体金属部からなる側面視Ｃ字形状の導電板であり、絶縁基板７の下面に沿って外側に延長する上板部２３ａと、上板部２３ａの外側端部から下方に延長する中間板部２３ｂと、中間板部２３ｂの下端部から上板部２３ａと平行に内側に延長する下板部２３ｃとを備えている。下板部２３ｃは、可動接触子２５の下方に延び、その上面に可動接触子２５の第１接点部が接触する第１接点部２３ｄを備えている。
【００１３】
一方、第２固定接触子２４も、第１固定接触子２３と同様に、導電体金属部からなる側面視Ｃ字形状の導電板であり、絶縁基板７の下面に沿って外側に延長する上板部２４ａと、上板部２４ａの外側端部から下方に延長する中間板部２４ｂと、中間板部２４ｂの下端部から上板部２４ａと平行に内側に延長する下板部２４ｃとを備えている。下板部２４ｃは、可動接触子２５の下方に延び、その上面に可動接触子２５の第２接点部が接触する第２接点部２４ｄを備えている。
第１固定接触子２３及び第２固定接触子２４のそれぞれは、それぞれの下端面に突出形成されたピンを第１導体部２１及び第２導体部２２のそれぞれに固定することにより、第１導体部２１及び第２導体部２２のそれぞれに固定されている。ピンの第１導体部２１、第２導体部２２への固定方法としては、ろう付け、螺合等があげられる。
【００１４】
また、第１固定接触子２３の中間板部２３ｂの内側面及び第２固定接触子２４の中間板部２４ｂの内側面を覆うように、平面から見てコの字状の磁性体板２８が装着されている。これにより、中間板部２３ｂ、２４ｂを流れる電流によって発生する磁場をシールドすることができる。
更に、第１固定接触子２３には、アークの発生を規制する合成樹脂製の絶縁カバー２６が装着され、第２固定接触子２４にも、アークの発生を規制する合成樹脂製の絶縁カバー２７が装着されている。これにより、第１固定接触子２３の内周面では下板部２３ｃの上面側の第１接点部２３ｄのみが露出される。また、第２固定接触子２４の内周面では下板部２４ｃの上面側の第２接点部２４ｄのみが露出される。
【００１５】
そして、可動接触子２５は、導電体金属を材料とした図１の左右方向に長尺な導電板であり、第１固定接触子２３及び第２固定接触子２４内に両端部を配置するように配設されている。この可動接触子２５は、電磁石ユニット３の後述する可動プランジャ３５に固定された連結軸３７に支持されている。可動接触子２５の中央部には、連結軸３７を挿通する貫通孔が形成されている。
連結軸３７の上下方向略中央部には、フランジ部３７ａが外方に向けて突出形成されている。可動接触子２５は、その貫通孔を連結軸３７の上方から挿通してフランジ部３７ａ上に載置される。そして、連結軸３７の上方から接触スプリング３９を挿通し、固定部材３８を連結軸３７の上方から連結軸３７に挿通し、接触スプリング３９で所定の付勢力を得るように接触スプリング３９の上端を固定部材３８によって止める。
【００１６】
この可動接触子２５は、釈放状態で、両端の第１接点部及び第２接点部がそれぞれ第１固定接触子２３の第１接点部２３ｄ及び第２固定接触子２４の第２接点部２４ｄのそれぞれと所定間隔を保って離間した状態となる。また、可動接触子２５は、投入位置で、両端の第１接点部及び第２接点部がそれぞれ第１固定接触子２３の第１接点部２３ｄ及び第２固定接触子２４の第２接点部２４ｄのそれぞれに、接触スプリング３９による所定の接触力で接触するように設定されている。
また、接点機構収容ケース５の角筒体６の内周面には、図１に示すように、有底角筒状に形成された絶縁筒部１４が配設されている。この絶縁筒部１４は、図１及び図４に示すように、中央部に連結軸３７の挿通用孔１４ｅを有する平板部１４ａと、平板部１４ａの可動接触子２５が延びる方向の両端縁から下方に延びる一対の下方延出部１４ｂと、各下方延出部１４ｂの下端から外方に延びる一対の底壁部１４ｃと、平板部１４ａ、一対の下方延出部１４ｂ、及び一対の底壁部１４ｃの周囲を囲むように上方に延びる周壁部１４ｄとを備えている。絶縁筒部１４は、絶縁性の例えば合成樹脂を成形することによって形成される。この絶縁筒部１４は、金属製の角筒体６に対するアークの影響を遮断する絶縁機能を有する。
【００１７】
この絶縁筒部１４は、図１に示すように、平板部１４ａに形成された挿通用孔１４ｅを介して連結軸３７が上下方向に挿通し、この状態で後述する仕切り部材１０の上方かつ外側を覆い、且つ接点機構２の外側を覆うように接点機構収容ケース５内に配置されている。具体的に述べると、絶縁筒部１４は、平板部１４ａで仕切り部材１０を構成する異物侵入防止部材１３の上側を覆い、一対の下方延出部１４ｂで異物侵入防止部材１３、補助ヨーク１２及び永久磁石１１の外側を覆い、かつ、周壁部１４ｄで接点機構２の外側を覆う。
【００１８】
また、電磁石ユニット３は、図１に示すように、側面から見てＵ字形状の下部磁気ヨーク３１を有し、この下部磁気ヨーク３１の底板部の中央部に固定プランジャ３２が配置されている。そして、固定プランジャ３２の外側にスプール３３が配置されている。
スプール３３は、図１に示すように、固定プランジャ３２を挿通する中央円筒部３３ａと、中央円筒部３３ａの下端部から半径方向外側に突出する下フランジ部３３ｂと、中央円筒部３３ａの上端部から半径方向外側に突出する上フランジ部３３ｃとを備えている。そして、図１乃至図３に示すように、スプール３３の中央円筒部３３ａ、下フランジ部３３ｂ、及び上フランジ部３３ｃで構成される収納空間に励磁コイル３４が巻装されている。
【００１９】
また、下部磁気ヨーク３１の開放端となる上端には、板状の磁気ヨーク８が固定されている。この磁気ヨーク８の中央部には、可動プランジャ貫通孔８ａが形成されている。
また、スプール３３の中央円筒部３３ａ内に配置された固定プランジャ３２の上部には、有底筒状に形成されたキャップ９が配置され、このキャップ９の開放端に設けられた半径方向外側に突出するフランジ部９ａが、磁気ヨーク８の下面にシール接合されている。これにより、接点機構収容ケース５及びキャップ９が磁気ヨーク８の可動プランジャ貫通孔８ａ介して連通される密封した容器（収容室４）が形成されている。
【００２０】
そして、このキャップ９の内部には、可動プランジャ３５が上下方向に移動可能に収容されている。この可動プランジャ３５は、キャップ９の内部に上下方向に移動可能に収容される円筒部３５ａと、この円筒部３５ａの上端に設けられた半径方向外側に突出する周鍔部３５ｃとを備えている。可動プランジャ３５の円筒部３５ａは、磁気ヨーク８の可動プランジャ貫通孔８ａを上下方向に挿通し、可動プランジャ３５の周鍔部３５ｃは可動プランジャ貫通孔８ａよりも大きな外径を有して磁気ヨーク８の上方に配置されている。
可動プランジャ３５の円筒部３５ａには、その下端面から上方に延びる復帰スプリング収容凹部３５ｂが形成されている。キャップ９の底部と復帰スプリング収容凹部３５ｂの上端面との間には、可動プランジャ３５を上方に付勢する復帰スプリング３６が配設されている。
【００２１】
また、磁気ヨーク８の上面には、図１及び図２に示すように、外形が方形で円形の中心開口を有して環状に形成された永久磁石１１が可動プランジャ３５の周鍔部３５ｃを囲むように固定されている。永久磁石１１は、上下方向即ち厚み方向に上端側を例えばＮ極、下端側をＳ極とするように着磁されている。
そして、永久磁石１１の上面には、永久磁石１１と同一外形で可動プランジャ３５の周鍔部３５ｃよりも小さい内径の貫通孔１２ａを有する補助ヨーク１２が固定されている。連結軸３７は、貫通孔１２ａを上下方向に挿通している。
【００２２】
更に、補助ヨーク１２の上面には、弾性を有する板状の異物侵入防止部材１３が固定されている。この異物侵入防止部材１３は、補助ヨーク１２とほぼ同じ大きさの外形で、中央部に連結軸３７を上下方向に挿通するとともに連結軸３７の外周面に接触する内径を有する貫通孔１３ａを有する。異物侵入防止部材１３は、例えばゴム製である。この異物侵入防止部材１３は、第１固定接触子２３の第１接点部２３ｄや第２固定接触子２４の第２接点部２４ｄ近傍で発生した溶融物や煤等の異物が絶縁筒部１４の挿通用孔１４ｅを通って下方に落下した際に、この異物が可動プランジャ３５側に侵入するのを阻止する機能を有する。また、この異物侵入防止部材１３は、弾性を有していて異物侵入防止部材１３の上側にある絶縁筒部１４を上方に付勢する機能を有する。
【００２３】
そして、可動プランジャ３５を上下方向に挿通する可動プランジャ貫通孔８ａを有する板状の磁気ヨーク８と、磁気ヨーク８の上面に接合され、内部に接点機構２を収容する接点機構収容ケース５と、磁気ヨーク８の下面に接合され、内部に可動プランジャ３５を収容するキャップ９とにより、接点機構２、連結軸３７及び可動プランジャ３５を収容する密封された収容室４を構成している。密封された収容室４内には、アーク消弧用のガスが封入されている。
そして、この収容室４は、図１に示すように、連結軸３７を挿通した仕切り部材１０によって接点機構２を収容する接点機構収容空間Ａと可動プランジャ３５を収容する可動プランジャ収容空間Ｂとを仕切るよう構成されている。
【００２４】
ここで、仕切り部材１０は、図１に示すように、磁気ヨーク８の上面に固定され、可動プランジャ３５の周鍔部３５ｃを囲むように形成された前述の永久磁石１１と、永久磁石１１の上面に固定され、連結軸３７を上下方向に挿通する前述の板状の補助ヨーク１２と、補助ヨーク１２の上面に固定され、連結軸３７を上下方向に挿通するとともに連結軸３７の外周面に接触する弾性を有する板状の異物侵入防止部材１３とで構成されている。そして、収容室４の内部において、仕切り部材１０により、仕切り部材１０の上方及び外側に形成された接点機構収容空間Ａと仕切り部材１０の内側に形成された可動プランジャ収容空間Ｂとを仕切っている。
【００２５】
また、接点機構収容ケース５の内部には、前述したように、絶縁筒部１４が配設されている。この絶縁筒部１４は、図１に示すように、平板部１４ａに形成された挿通用孔１４ｅを介して連結軸３７が上下方向に挿通し、この状態で仕切り部材１０の上方かつ外側を平板部１４ａ及び一対の下方延出部１４ｂ及で覆い、且つ接点機構２の外側を周壁部１４ｄで覆うように接点機構収容空間Ａ内に配置されている。そして、この絶縁筒部１４の周壁部１４ｄの上端には、図１及び図２に示すように、接点機構２側の接点機構収容空間Ａと仕切り部材１０側の接点機構収容空間Ａとを連通させる筒部連通部１４ｆが形成されている。このため、接点機構収容空間Ａ内における絶縁筒部１４を挟む接点機構２側の接点機構収容空間Ａと仕切り部材１０側の接点機構収容空間Ａとは筒部連通部１４ｆを介して連通し、接点機構２側の接点機構収容空間Ａ及び仕切り部材１０側の接点機構収容空間Ａ内の内部圧力は均一になっている。
【００２６】
そして、可動プランジャ収容空間Ｂにおいて、可動プランジャ３５の周鍔部３５ｃを収容する周鍔部収容空間Ｂ１と可動プランジャ３５の円筒部３５ａの下側に形成される下側空間Ｂ２とが形成されている。周鍔部収容空間Ｂ１は、仕切り部材１０を構成する永久磁石１１、補助ヨーク１２及び異物侵入防止部材１３と、可動プランジャ貫通孔８ａを有する磁気ヨーク８とで囲まれる空間である。また、下側空間Ｂ２は、復帰スプリング収容凹部３５ｂを含む可動プランジャ３５の円筒部３５ａの下端面とキャップ９の底部との間に形成される空間である。
【００２７】
このように、可動プランジャ収容空間Ｂにおいて、周鍔部収容空間Ｂ１と下側空間Ｂ２とが形成されるのは、可動プランジャ３５の円筒部３５ａとキャップ９との間が狭いことによって、円筒部３５ａの上側にある周鍔部３５ｃを収容している周鍔部収容空間Ｂ１と可動プランジャ３５の円筒部３５ａの下側の下側空間Ｂ２とが独立していることに基づくものである。
このように、接点機構収容空間Ａと周鍔部収容空間Ｂ１と下側空間Ｂ２とが独立していると、接点機構収容空間Ａと周鍔部収容空間Ｂ１の内部圧力と下側空間Ｂ２の内部圧力との間に差が生じ、可動プランジャ３５及び可動接触子２５の釈放動作及び投入動作の際に、可動プランジャ３５の動きが重く、可動プランジャ３５及び可動接触子２５が円滑に動作しないことがある。
【００２８】
そこで、第１実施形態の電磁接触器１においては、仕切り部材１０に仕切り部材１０側の接点機構収容空間Ａと周鍔部収容空間Ｂ１とを連通させる第１連通部１５を設けるとともに、可動プランジャ３５の円筒部３５ａに周鍔部収容空間Ｂ１と下側空間Ｂ２とを連通させる第２連通部４０を設けている。これにより、接点機構２側の接点機構収容空間Ａ及び仕切り部材１０側の接点機構収容空間Ａ、周鍔部収容空間Ｂ１、及び下側空間Ｂ２の内部圧力が同等となって、可動プランジャ収容空間Ｂにおいて、可動プランジャ３５の周鍔部３５ｃを収容する周鍔部収容空間Ｂ１と可動プランジャ３５の円筒部３５ａの下側に形成される下側空間Ｂ２との間の圧力差を解消する。これにより、釈放動作及び投入動作の際に、可動プランジャ３５及び可動接触子２５の円滑な動作が可能となる
【００２９】
ここで、第１連通部１５は、仕切り部材１０を構成する異物侵入防止部材１３に形成された、上側で仕切り部材１０側の接点機構収容空間Ａに連通するように上下方向に貫通する複数の異物侵入防止部材貫通孔１３ｂと、補助ヨーク１２に形成された、上側で異物侵入防止部材貫通孔１３ｂに連通し、下側で周鍔部収容空間Ｂ１に連通するように上下方向に貫通する複数の補助ヨーク貫通孔１２Ｂと、永久磁石１１に形成された、仕切り部材１０側の接点機構収容空間Ａと周鍔部収容空間Ｂ１とを連通させる複数の溝１１ａとで構成されている。溝１１ａは、図１及び図２に示すように、永久磁石１１の可動接触子２５が延びる方向の両端部の下面に複数形成されている。各溝１１ａは、永久磁石１１の可動接触子２５が延びる方向の各端部の下面において、外端縁から内端縁に向けて連続している。
【００３０】
第１連通部１５をこのように構成することにより、仕切り部材１０側の接点機構収容空間Ａと周鍔部収容空間Ｂ１とを連通させることができ、そして、筒部連通孔１４ｆを介して接点機構２側の接点機構収容空間Ａ及び仕切り部材１０側の接点機構収容空間Ａの内部圧力と周鍔部収容空間Ｂ１の内部圧力とを均一化することができる。
また、第２連通部４０は、可動プランジャ３５の円筒部３５ａの外側面に周鍔部収容空間Ｂ１と下側空間Ｂ２とを連通させるように直線状に延びる複数のスリット３５ｄで構成されている。これにより、円筒部３５ａに簡単なスリット３５ｄを形成することで、周鍔部収容空間Ｂ１の内部圧力と下側空間Ｂ２の内部圧力とを均一化することができる。
【００３１】
また、絶縁筒部１４の平板部１４ａには、図１及び図３に示すように、接点機構２側の接点機構収容空間Ａと仕切り部材側の接点機構収容空間Ａとを連通させる複数の筒部貫通孔１４ｇが形成されている。
これにより、接点機構収容空間Ａ内における絶縁筒部１４を挟む接点機構２側の接点機構収容空間Ａと仕切り部材１０側の接点機構収容空間Ａとは筒部連通部１４ｆのみならず、筒部貫通孔１４ｇを介しても連通し、接点機構２側の接点機構収容空間Ａ内の内部圧力及び仕切り部材１０側の接点機構収容空間Ａ内の内部圧力を均一にすることができる。
【００３２】
このため、第１実施形態の電磁接触器１においては、筒部貫通孔１４ｇを用いたルートと筒部連通部１４ｆを用いたルートの２ルートにより、接点機構２側の接点機構収容空間Ａと仕切り部材１０側の接点機構収容空間Ａとを連通させて、接点機構２側の接点機構収容空間Ａ及び仕切り部材１０側の接点機構収容空間Ａ内の内部圧力を均一にし、更に、第１連通部１５を介して仕切り部材１０側の接点機構収容空間Ａと周鍔部収容空間Ｂ１とを連通させて、仕切り部材１０側の接点機構収容空間Ａ及び周鍔部収容空間Ｂ１の内部圧力を均一にし、最終的に接点機構２側の接点機構収容空間Ａの内部圧力、仕切り部材１０側の接点機構収容空間Ａの内部圧力及び周鍔部収容空間Ｂ１の内部圧力を安定して均一化することができる。
【００３３】
そして、可動プランジャ３５の円筒部３５ａに周鍔部収容空間Ｂ１と下側空間Ｂ２とを連通させる第２連通部４０を設け、これにより、接点機構２側の接点機構収容空間Ａ及び仕切り部材１０側の接点機構収容空間Ａ、周鍔部収容空間Ｂ１、及び下側空間Ｂ２の内部圧力を同等とし、可動プランジャ収容空間Ｂにおいて、可動プランジャ３５の周鍔部３５ｃを収容する周鍔部収容空間Ｂ１と可動プランジャ３５の円筒部３５ａの下側に形成される下側空間Ｂ２との間の圧力差を解消している。
なお、絶縁筒部１４は必ずしも設ける必要はなく、絶縁筒部１４を設けない場合、第１連通部１５は、絶縁筒部１４のない接点機構収容空間Ａと周鍔部収容空間Ｂ１とを連通させることになる。
【００３４】
次に、第１実施形態の電磁接触器１の動作を説明する。
今、第１固定接触子２３に接続された第１導体部２１が例えば大電流を供給する電力供給源に接続され、第２固定接触子２４に接続された第２導体部２２が負荷装置に接続されているものとする。
この状態で、電磁石ユニット３における励磁コイル３４が非励磁状態にあって、電磁石ユニット３で可動プランジャ３５を下降させる励磁力を発生していない釈放状態にあるものとする。
【００３５】
この釈放状態では、可動プランジャ３５が復帰スプリング３６によって、磁気ヨーク８から離れる上方向に付勢される。これと同時に、永久磁石１１の磁力による吸引力が補助ヨーク１２に作用し、可動プランジャ３５の周鍔部３５ｃが吸引される。このため、可動プランジャ３５の周鍔部３５ｃの上面が補助ヨーク１２の下面に接触している。
このため、可動プランジャ３５に連結軸３７を介して連結されている接点機構２の可動接触子２５の第１接点部及び第２接点部が、第１固定接触子２３の第１接点部２３ｄ、第２固定接触子２４の第２接点部２４ｄに対して上方に所定距離だけ離間している。このため、第１固定接触子２３及び第２固定接触子２４の間の電流路が遮断状態にあり、接点機構２が開極状態となっている。
【００３６】
この釈放状態において、接点機構２側の接点機構収容空間Ａ及び仕切り部材１０側の接点機構収容空間Ａ、周鍔部収容空間Ｂ１、及び下側空間Ｂ２の内部圧力を同等となっている。
この釈放状態から、電磁石ユニット３の励磁コイル３４に通電すると、この電磁石ユニット３で励磁力が発生し、可動プランジャ３５を復帰スプリング３６の付勢力及び永久磁石１１の吸引力に抗して下方に押し下げる。この可動プランジャ３５の下降が、周鍔部３５ｃの下面が磁気ヨーク８の上面に当たることで停止する。
【００３７】
このように、可動プランジャ３５が下降することにより、可動プランジャ３５に連結軸３７を介して連結されている可動接触子２５も下降し、接点機構２の可動接触子２５の第１接点部及び第２接点部のそれぞれが、第１固定接触子２３の第１接点部２３ｄ及び第２固定接触子２４の第２接点部２４ｄのそれぞれに対して接触スプリング３９の接触圧で接触する。
このため、電力供給源の大電流が、第１固定接触子２３、可動接触子２５、第２固定接触子２４を通じて負荷装置に供給される閉極状態となる。
【００３８】
この投入動作の際に、接点機構２側の接点機構収容空間Ａ及び仕切り部材１０側の接点機構収容空間Ａ、周鍔部収容空間Ｂ１、及び下側空間Ｂ２の内部圧力は同等となっているから、周鍔部収容空間Ｂ１の内部圧力と下側空間Ｂ２の内部圧力とに差は無く、可動プランジャ３５及び可動接触子２５は円滑に動作する。
そして、接点機構２の閉極状態から、負荷装置への電流供給を遮断する場合には、電磁石ユニット３の励磁コイル３４への通電を停止する。
励磁コイル３４への通電を停止すると、電磁石ユニット３で可動プランジャ３５を下方に移動させる励磁力がなくなることにより、可動プランジャ３５が復帰スプリング３６の付勢力によって上昇し、周鍔部３５ｃが補助ヨーク１２に近づくに従って永久磁石１１の吸引力が増加する。
【００３９】
この可動プランジャ３５が上昇することにより、連結軸３７を介して連結された可動接触子２５が上昇する。これに応じて接触スプリング３９で接触圧を与えているときは、可動接触子２５の第１接点部及び第２接点部のそれぞれが、第１固定接触子２３の第１接点部２３ｄ及び第２固定接触子２４の第２接点部２４ｄのそれぞれに接触している。その後、接触スプリング３９の接触圧がなくなった時点で、可動接触子２５が第１固定接触子２３及び第２固定接触子２４から上方に離間する開極開始状態となる。
このような開極開始状態となると、可動接触子２５の第１接点部及び第２接点部と、第１固定接触子２３の第１接点部２３ｄ及び第２固定接触子２４の第２接点部２４ｄとの間にアークが発生し、アークによって電流の通電状態が継続されることになる。
【００４０】
このとき、発生したアークの熱によって第１固定接触子２３の第１接点部２３ｄ及び第２固定接触子２４の第２接点部２４ｄやその周囲の絶縁物からガスが発生し、接点機構収容空間Ａの内部圧力が周鍔部収容空間Ｂ１の内部圧力に対して高まろうとする。しかし、接点機構収容空間Ａと周鍔部収容空間Ｂ１とは第１連通部１５を介して連通しているため、接点機構収容空間Ａの内部圧力は周鍔部収容空間Ｂ１の内部圧力と同等であり、高まることはない。また、周鍔部収容空間Ｂ１と下側空間Ｂ２は第２連通部４０を介して連通しているため、周鍔部収容空間Ｂ１の内部圧力と下側空間Ｂ２の内部圧力も同等であり、接点機構収容空間Ａの内部圧力は、周鍔部収容空間Ｂ１の内部圧力及び下側空間Ｂ２の内部圧力と同等となっている。
【００４１】
つまり、接点機構収容空間Ａ内における絶縁筒部１４を挟む接点機構２側の接点機構収容空間Ａと仕切り部材１０側の接点機構収容空間Ａとは筒部連通部１４ｆ及び筒部貫通孔１４ｇを介して連通し、接点機構２側の接点機構収容空間Ａ及び仕切り部材１０側の接点機構収容空間Ａ内の内部圧力は同等になっている。そして、第１連通部１５は、仕切り部材１０側の接点機構収容空間Ａと周鍔部収容空間Ｂ１とを連通させている。このため、接点機構２側の接点機構収容空間Ａ、仕切り部材１０側の接点機構収容空間Ａ及び周鍔部収容空間Ｂ１の内部圧力は同等である。また、第２連通部４０は、周鍔部収容空間Ｂ１と下側空間Ｂ２を連通させているため、周鍔部収容空間Ｂ１の内部圧力及び下側空間Ｂ２の内部圧力は同等であり、接点機構２側の接点機構収容空間Ａ、仕切り部材１０側の接点機構収容空間Ａ、周鍔部収容空間Ｂ１及び下側空間Ｂ２の内部圧力は同等となっている。
【００４２】
このため、釈放動作の際に、接点機構２側の接点機構収容空間Ａ及び仕切り部材１０側の接点機構収容空間Ａ、周鍔部収容空間Ｂ１、及び下側空間Ｂ２の内部圧力は同等となっているから、周鍔部収容空間Ｂ１の内部圧力と下側空間Ｂ２の内部圧力とに差は無く、可動プランジャ３５及び可動接触子２５は円滑に動作する。
また、この釈放動作の際に、接点機構収容空間Ａの内部圧力が高くなることによって可動接触子２５が周鍔部周空間Ｂ１側（下方側）へ押し戻されることはなく、可動プランジャ３５及び可動接触子２５の動作を安定的に行なうことができる。
【００４３】
そして、可動接触子２５の第１接点部及び第２接点部と、第１固定接触子２３の第１接点部２３ｄ及び第２固定接触子２４の第２接点部２４ｄとの間に発生したアークは、これらアークの電流の流れと、図示しないアーク消弧用永久磁石で発生した磁束との関係からフレミング左手の法則により発生したローレンツ力によって引き延ばされて消弧される。
そして、可動プランジャ３５の釈放動作が終了すると、可動プランジャ３５の周鍔部３５ｃの上面が補助ヨーク１２の下面に接触し、開極終了となる。
【００４４】
（第２実施形態）
次に、本発明の第２実施形態に係る電磁接触器を図５及び図６を参照して説明する。図５及び図６において、図１乃至図４に示す部材と同一の部材については同一の符号を付し、その説明を省略することがある。
第２実施形態の電磁接触器は、図５及び図６に示されており、この電磁接触器１は、第１実施形態の電磁接触器１と基本構成は同様であり、接点機構２と、接点機構２を駆動する電磁石ユニット３と、接点機構２、連結軸３７及び可動プランジャ３５を収容する密封された収容室４とを備えている。
そして、この収容室４は、第１実施形態の電磁接触器１と同様に、図５に示すように、連結軸３７を挿通した仕切り部材１０によって接点機構２を収容する接点機構収容空間Ａと可動プランジャ３５を収容する可動プランジャ収容空間Ｂとを仕切るよう構成されている。
【００４５】
ここで、仕切り部材１０は、第１実施形態の電磁接触器１と同様に、磁気ヨーク８の上面に固定され、可動プランジャ３５の周鍔部３５ｃを囲むように形成された前述の永久磁石１１と、永久磁石１１の上面に固定され、連結軸３７を上下方向に挿通する前述の板状の補助ヨーク１２と、補助ヨーク１２の上面に固定され、連結軸３７を上下方向に挿通するとともに連結軸３７の外周面に接触する弾性を有する板状の異物侵入防止部材１３とで構成されている。そして、収容室４の内部において、仕切り部材１０により、仕切り部材１０の上方及び外側に形成された接点機構収容空間Ａと仕切り部材１０の内側に形成された可動プランジャ収容空間Ｂとを仕切っている。
【００４６】
また、接点機構収容ケース５の内部には、第１実施形態の電磁接触器１と同様に、絶縁筒部１４が配設されている。この絶縁筒部１４は、図５に示すように、平板部１４ａに形成された挿通用孔１４ｅを介して連結軸３７が上下方向に挿通し、この状態で仕切り部材１０の上方かつ外側を平板部１４ａ及び一対の下方延出部１４ｂ及で覆い、且つ接点機構２の外側を周壁部１４ｄで覆うように接点機構収容空間Ａ内に配置されている。そして、この絶縁筒部１４の周壁部１４ｄの上端には、図５及び図６に示すように、接点機構２側の接点機構収容空間Ａと仕切り部材１０側の接点機構収容空間Ａとを連通させる筒部連通部１４ｆが形成されている。このため、接点機構収容空間Ａ内における絶縁筒部１４を挟む接点機構２側の接点機構収容空間Ａと仕切り部材１０側の接点機構収容空間Ａとは筒部連通部１４ｆを介して連通し、接点機構２側の接点機構収容空間Ａ及び仕切り部材１０側の接点機構収容空間Ａ内の内部圧力は均一になっている。
【００４７】
そして、可動プランジャ収容空間Ｂにおいて、可動プランジャ３５の周鍔部３５ｃを収容する周鍔部収容空間Ｂ１と可動プランジャ３５の円筒部３５ａの下側に形成される下側空間Ｂ２とが形成されている。周鍔部収容空間Ｂ１は、仕切り部材１０を構成する永久磁石１１、補助ヨーク１２及び異物侵入防止部材１３と、可動プランジャ貫通孔８ａを有する磁気ヨーク８とで囲まれる空間である。また、下側空間Ｂ２は、復帰スプリング収容凹部３５ｂを含む可動プランジャ３５の円筒部３５ａの下端面とキャップ９の底部との間に形成される空間である。
【００４８】
このように、可動プランジャ収容空間Ｂにおいて、周鍔部収容空間Ｂ１と下側空間Ｂ２とが形成されるのは、可動プランジャ３５の円筒部３５ａとキャップ９との間が狭いことによって、円筒部３５ａの上側にある周鍔部３５ｃを収容している周鍔部収容空間Ｂ１と可動プランジャ３５の円筒部３５ａの下側の下側空間Ｂ２とが独立していることに基づくものである。
このように、周鍔部収容空間Ｂ１と下側空間Ｂ２とが独立していると、周鍔部収容空間Ｂ１の内部圧力と下側空間Ｂ２の内部圧力との間に差が生じ、可動プランジャ３５及び可動接触子２５の釈放動作及び投入動作の際に、可動プランジャ３５の動きが重く、可動プランジャ３５及び可動接触子２５が円滑に動作しないことがある。
【００４９】
そこで、第２実施形態の電磁接触器１においては、仕切り部材１０に仕切り部材１０側の接点機構収容空間Ａと周鍔部収容空間Ｂ１とを連通させる第１連通部１５を設けるとともに、第１実施形態の電磁接触器１と異なり、連結軸３７に接点機構２側の接点機構収容空間Ａと下側空間Ｂ２とを連通させる第３連通部４１を設けている。これにより、接点機構２側の接点機構収容空間Ａ及び仕切り部材１０側の接点機構収容空間Ａ、周鍔部収容空間Ｂ１、及び下側空間Ｂ２の内部圧力が同等となって、可動プランジャ収容空間Ｂにおいて、可動プランジャ３５の周鍔部３５ｃを収容する周鍔部収容空間Ｂ１と可動プランジャ３５の円筒部３５ａの下側に形成される下側空間Ｂ２との間の圧力差を解消する。これにより、釈放動作及び投入動作の際に、可動プランジャ３５及び可動接触子２５の円滑な動作が可能となる
【００５０】
ここで、第１連通部１５は、第１実施形態の電磁接触器１と同様に、仕切り部材１０を構成する異物侵入防止部材１３に形成された、上側で仕切り部材１０側の接点機構収容空間Ａに連通するように上下方向に貫通する複数の異物侵入防止部材貫通孔１３ｂと、補助ヨーク１２に形成された、上側で異物侵入防止部材貫通孔１３ｂに連通し、下側で周鍔部収容空間Ｂ１に連通するように上下方向に貫通する複数の補助ヨーク貫通孔１２ｂと、永久磁石１１に形成された、仕切り部材１０側の接点機構収容空間Ａと周鍔部収容空間Ｂ１とを連通させる複数の溝１１ａとで構成されている。溝１１ａは、図５及び図６に示すように、永久磁石１１の可動接触子２５が延びる方向の両端部の下面に複数形成されている。各溝１１ａは、永久磁石１１の可動接触子２５が延びる方向の各端部の下面において、外端縁から内端縁に向けて連続している。
【００５１】
第１連通部１５をこのように構成することにより、仕切り部材１０側の接点機構収容空間Ａと周鍔部収容空間Ｂ１とを連通させることができ、そして、筒部連通孔１４ｆを介して接点機構２側の接点機構収容空間Ａ及び仕切り部材１０側の接点機構収容空間Ａの内部圧力と周鍔部収容空間Ｂ１の内部圧力とを均一化することができる。
また、第３連通部４１は、連結軸３７の上端から下端に貫通するように形成された、接点機構２側の接点機構収容空間Ａと下側空間Ｂ２とを連通させる貫通孔で構成されている。これにより、接点機構２側の接点機構収容空間Ａの内部圧力と下側空間Ｂ２の内部圧力とを均一化することができる。
【００５２】
また、絶縁筒部１４の平板部１４ａには、第１実施形態の電磁接触器１と同様に、図５及び図６に示すように、接点機構２側の接点機構収容空間Ａと仕切り部材側の接点機構収容空間Ａとを連通させる複数の筒部貫通孔１４ｇが形成されている。
これにより、接点機構収容空間Ａ内における絶縁筒部１４を挟む接点機構２側の接点機構収容空間Ａと仕切り部材１０側の接点機構収容空間Ａとは筒部連通部１４ｆのみならず、筒部貫通孔１４ｇを介しても連通し、接点機構２側の接点機構収容空間Ａ内の内部圧力及び仕切り部材１０側の接点機構収容空間Ａ内の内部圧力を均一にすることができる。
【００５３】
このため、第２実施形態の電磁接触器１においては、筒部貫通孔１４ｇを用いたルートと筒部連通部１４ｆを用いたルートの２ルートにより、接点機構２側の接点機構収容空間Ａと仕切り部材１０側の接点機構収容空間Ａとを連通させて、接点機構２側の接点機構収容空間Ａ及び仕切り部材１０側の接点機構収容空間Ａ内の内部圧力を均一にし、更に、第１連通部１５を介して仕切り部材１０側の接点機構収容空間Ａと周鍔部収容空間Ｂ１とを連通させて、仕切り部材１０側の接点機構収容空間Ａ及び周鍔部収容空間Ｂ１の内部圧力を均一にし、最終的に接点機構２側の接点機構収容空間Ａの内部圧力、仕切り部材１０側の接点機構収容空間Ａの内部圧力及び周鍔部収容空間Ｂ１の内部圧力を安定して均一化することができる。
【００５４】
そして、連結軸３７に、接点機構２側の接点機構収容空間Ａと下側空間Ｂ２とを連通させる第３連通部４１を設け、これにより、接点機構２側の接点機構収容空間Ａ及び仕切り部材１０側の接点機構収容空間Ａ、周鍔部収容空間Ｂ１、及び下側空間Ｂ２の内部圧力を同等とし、可動プランジャ収容空間Ｂにおいて、可動プランジャ３５の周鍔部３５ｃを収容する周鍔部収容空間Ｂ１と可動プランジャ３５の円筒部３５ａの下側に形成される下側空間Ｂ２との間の圧力差を解消している。これにより、釈放動作及び投入動作の際に、可動プランジャ３５及び可動接触子２５は円滑に動作することができる。
【００５５】
なお、絶縁筒部１４は必ずしも設ける必要はなく、絶縁筒部１４を設けない場合、第１連通部１５は、絶縁筒部１４のない接点機構収容空間Ａと周鍔部収容空間Ｂ１とを連通させることになる。
なお、第２実施形態の電磁接触器１において、第１実施形態の電磁接触器１のように、可動プランジャ３５の円筒部３５ａの外周面に、周鍔部収容空間Ｂ１と下側空間Ｂ２とを連通させる第２連通部４０を形成してもよい。
【００５６】
（まとめ）
以上のように、第１実施形態に係る電磁接触器１においては、一対の固定接触子２３、２４及びこれら一対の固定接触子２３、２４に接離可能な可動接触子２５を有する接点機構２と、可動接触子２５に連結軸３７で連結された可動プランジャ３５を有する、接点機構２を駆動する電磁石ユニット３と、接点機構２、連結軸３７及び可動プランジャ３５を収容する密封された収容室４とを備えている。そして、収容室４は、連結軸３７を挿通した仕切り部材１０によって接点機構２を収容する接点機構収容空間Ａと可動プランジャ３５を収容する可動プランジャ収容空間Ｂとを仕切るよう構成されている。そして、可動プランジャ収容空間Ｂにおいて、可動プランジャ３５の周鍔部３５ｃを収容する周鍔部収容空間Ｂ１と可動プランジャ３５の円筒部３５ａの下側に形成される下側空間Ｂ２とが形成され、仕切り部材１０に接点機構収容空間Ａと周鍔部収容空間Ｂ１とを連通させる第１連通部１５を設けるとともに、可動プランジャ３５の円筒部３５ａに周鍔部収容空間Ｂ１と下側空間Ｂ２とを連通させる第２連通部４０を設けている。
【００５７】
このため、接点機構収容空間Ａ、周鍔部収容空間Ｂ１、及び下側空間Ｂ２の内部圧力が同等となって、可動プランジャ収容空間Ｂにおいて、可動プランジャ３５の周鍔部３５ｃを収容する周鍔部収容空間Ｂ１と可動プランジャ３５の円筒部３５ａの下側に形成される下側空間Ｂ２との間の圧力差を解消する。これにより、釈放動作及び投入動作の際に、可動プランジャ３５及び可動接触子２５の円滑な動作が可能となる。
また、第１実施形態の電磁接触器１においては、第２連通部４０は、円筒部３５ａの側面に形成された、周鍔部収容空間Ｂ１と下側空間Ｂ２とを連通させるスリット３５ｄで構成されている。これにより、円筒部３５ａに簡単なスリット３５ｄを形成することで、周鍔部収容空間Ｂ１の内部圧力と下側空間Ｂ２の内部圧力とを均一化することができる。
【００５８】
更に、第２実施形態に係る電磁接触器１においては、一対の固定接触子２３、２４及びこれら一対の固定接触子２３、２４に接離可能な可動接触子２５を有する接点機構２と、可動接触子２５に連結軸３７で連結された可動プランジャ３５を有する、接点機構２を駆動する電磁石ユニット３と、接点機構２、連結軸３７及び可動プランジャ３５を収容する密封された収容室４とを備えている。そして、収容室４は、連結軸３７を挿通した仕切り部材１０によって接点機構２を収容する接点機構収容空間Ａと可動プランジャ３５を収容する可動プランジャ収容空間Ｂとを仕切るよう構成されている。そして、可動プランジャ収容空間Ｂにおいて、可動プランジャ３５の周鍔部３５ｃを収容する周鍔部収容空間Ｂ１と可動プランジャ３５の円筒部３５ａの下側に形成される下側空間Ｂ２とが形成され、仕切り部材１０に接点機構収容空間Ａと周鍔部収容空間Ｂ１とを連通させる第１連通部１５を設けるとともに、連結軸３７に接点機構収容空間Ａと下側空間Ｂ２とを連通させる第３連通部４１を設けている。
【００５９】
このため、接点機構収容空間Ａ、周鍔部収容空間Ｂ１、及び下側空間Ｂ２の内部圧力が同等となって、可動プランジャ収容空間Ｂにおいて、可動プランジャ３５の周鍔部３５ｃを収容する周鍔部収容空間Ｂ１と可動プランジャ３５の円筒部３５ａの下側に形成される下側空間Ｂ２との間の圧力差を解消する。これにより、釈放動作及び投入動作の際に、可動プランジャ３５及び可動接触子２５の円滑な動作が可能となる。
また、第２実施形態に係る電磁接触器１において、第３連通部４１は、連結軸３７に形成された、接点機構収容空間Ａと下側空間Ｂ２とを連通させる貫通孔で構成されている。これにより、連結軸３７に簡単な貫通孔を形成することで、周鍔部収容空間Ｂ１の内部圧力と下側空間Ｂ２の内部圧力とを均一化することができる。
【００６０】
以上、本発明の第１及び第２実施形態について説明してきたが、本発明はこれに限定されずに種々の変更、改良を行うことができる。
例えば、収容室４は、一対の固定接触子２３、２４及び可動接触子２５を有する接点機構２、連結軸３７及び可動プランジャ３５を収容できる密閉構造のものであれば、磁気ヨーク８と、接点機構収容ケース５と、キャップ９とで構成する必要は必ずしもない。
また、仕切り部材１０は、収容室４を接点機構収容空間Ａと可動プランジャ収容空間Ｂとを仕切るよう構成されているものであれば、永久磁石１１と、補助ヨーク１２と、異物侵入防止部材１３とで構成する必要は必ずしもない。
【００６１】
また、絶縁筒部１４は、必ずしも設けなくても良い。
更に、第１連通部１５は、接点機構収容空間Ａと周鍔部収容空間Ｂ１とを連通させるように仕切り部材１０に形成すればよく、仕切り部材１０を、永久磁石１１、補助ヨーク１２、異物侵入防止部材１３とで構成した場合には、その形成場所は、永久磁石１１、補助ヨーク１２、異物侵入防止部材１３のいずれであってもよい。また、連通部は、永久磁石１１、補助ヨーク１２、異物侵入防止部材１３のうち任意の組合せの部材に形成してもよい。
また、第１連通部１５は、接点機構収容空間Ａと周鍔部収容空間Ｂ１とを連通させるものであれば、その形状は任意である。
また、第１連通部１５の数も任意である。
【００６２】
更に、第２連通部４０は、可動プランジャ３５の円筒部３５ａに形成される場合のみならず、円筒部３５ａを収容するキャップ９（収容室４）側に形成してもよい。
また、第２連通部４０は、周鍔部収容空間Ｂ１と下側空間Ｂ２とを連通させるものであれば、その形状は問わず、円筒部３５ａの外側面に形成された、周鍔部収容空間Ｂ１と下側空間Ｂ２とを連通させるスリット３５ｄで形成される場合のみならず、例えば、可動プランジャ３５を上下方向に貫通する貫通孔であってもよい。
また、第３連通部４１は、接点機構収容空間Ａと下側空間Ｂ２とを連通させるものであれば、その形状は問わず、連結軸３７に上下方向に貫通するように形成された、接点機構収容空間Ａと下側空間Ｂ２とを連通させる貫通孔で形成される場合のみならず、例えば、連結軸３７の外側面に形成されたスリットであってもよい。
【符号の説明】
【００６３】
１  電磁接触器
２  接点機構
３  電磁石ユニット
４  収容室
１０  仕切り部材
１５  第１連通部
２３  第１固定接触子（固定接触子）
２４  第２固定接触子（固定接触子）
２５  可動接触子
３５  可動プランジャ
３５ａ  円筒部
３５ｂ  周鍔部
３５ｄ  スリット（第２連通部）
３７  連結軸
４０  第２連通部
４１  第３連通部
Ａ  接点機構収容空間
Ｂ  可動プランジャ収容空間
Ｂ１  周鍔部収容空間
Ｂ２  下側空間
【図１】
0006269363.tif 000002
【図２】
0006269363.tif 000003
【図３】
0006269363.tif 000004
【図４】
0006269363.tif 000005
【図５】
0006269363.tif 000006
【図６】
0006269363.tif 000007